(57)【要約】【課題】  カード決済も可能としながら、商品販売データ処理を実行するための機器の占有スペースを減少させ、当該機器を手軽に各所に持ち運んで商品販売データ処理を実行できるようにする。【解決手段】  各種処理を実行するプロセッサと、クレジットカード等からカード情報を読み取る情報読取部４とを備え、読み取ったカード情報に基づいてプロセッサに決済処理を実行させることを基本とし、これに加えて、入力された商品コードに基づいて商品販売データ処理を実行する商品販売データ処理用の周辺機器１０１、２０１、３０１を複数台同時に接続可能にする外部機器接続用のインターフェース（例えば、ＵＳＢ）を備え、更に、商品販売データ処理用のコンピュータプログラムを記憶部に記憶保存することで、インターフェースを介して接続された周辺機器１０１、２０１、３０１を必要に応じて利用しながら商品販売データ処理を実行できるようにした。【選択図】    図３
2006285805.tif 000002
【特許請求の範囲】
【請求項１】
各部を収納保持するハウジングと、
情報を入力する入力装置と、
各種処理を実行するプロセッサと、
決済に必要なカード情報を記録するカードから前記カード情報を読み取る情報読取部と、
前記情報読取部が読み取ったカード情報に基づいて前記プロセッサに決済処理を実行させる手段と、
入力された商品コードに基づく商品販売データ処理の実行を支援するための商品販売データ処理用の周辺機器を複数台同時に接続可能にする外部機器接続用のインターフェースと、
商品販売データ処理用のコンピュータプログラムを記憶保存する記憶部と、
を備え、前記コンピュータプログラムは、前記インターフェースを介して接続された前記周辺機器を必要に応じて利用して、商品コードの入力機能と、前記入力装置の操作に応じて一取引の終了宣言をする宣言機能と、入力された商品コードに基づく決済金額の算出機能と、一取引の終了宣言に応じて算出した決済金額を決済する決済機能と、を含む商品販売データ処理機能を前記プロセッサに実行させる、
カード処理端末。
【請求項２】
前記ハウジングは、前記入力装置としてのタッチパネル付きディスプレイを備え、
前記コンピュータプログラムは、商品販売データ処理に必要な情報の前記タッチパネル付きディスプレイによる入力表示機能を前記プロセッサに実行させる、
請求項１記載のカード処理端末。
【請求項３】
前記コンピュータプログラムは、前記プロセッサに、前記インターフェースを介して接続されたデータコードスキャナから得た商品コードに基づいて前記商品コードの入力機能を実行させる、請求項１又は２記載のカード処理端末。
【請求項４】
前記コンピュータプログラムは、前記プロセッサに、前記インターフェースを介して接続されたドロワに向けて、一取引の終了宣言に応じて開放信号を出力する機能を実行させる、請求項１ないし３のいずれか一記載のカード処理端末。
【請求項５】
前記コンピュータプログラムは、前記プロセッサに、前記インターフェースを介して接続されたディスプレイに向けて、商品販売データ処理に際して顧客に提供する情報を表示出力させる、請求項１ないし４のいずれか一記載のカード処理端末。
【請求項６】
各部を収納保持するハウジングと、
情報を入力する入力装置と、
各種処理を実行するプロセッサと、
決済に必要なカード情報を記録するカードから前記カード情報を読み取る情報読取部と、
前記情報読取部が読み取ったカード情報に基づいて前記プロセッサに決済処理を実行させる手段と、
入力された商品コードに基づく商品販売データ処理の実行を支援するための商品販売データ処理用の周辺機器を複数台同時に接続可能にする外部機器接続用のインターフェースと、
商品販売データ処理用のコンピュータプログラムを記憶保存する記憶部と、
を備えるカード処理端末の前記記憶部にインストールされ、前記プロセッサに、前記インターフェースを介して接続された前記周辺機器を必要に応じて利用する、
商品コードの入力機能と、
前記入力装置の操作に応じて一取引の終了宣言をする宣言機能と、
入力された商品コードに基づく決済金額の算出機能と、
一取引の終了宣言に応じて算出した決済金額を決済する決済機能と、
を実行させる、商品販売データ処理用のコンピュータプログラム。
【発明の詳細な説明】
【技術分野】
【０００１】
本発明は、クレジットカードやデビットカードなどの決済可能なカードから決済に必要なカード情報を読み取って決済処理を実行するカード処理端末、及びこのカード処理端末にインストールされる商品販売データ処理用のコンピュータプログラムに関する。
【背景技術】
【０００２】
顧客が購入しようとする商品の商品コードを読み取り、読み取った商品コードに基づく商品販売データ処理を実行する機器としては、従来、ＥＣＲやＰＯＳ端末が広く用いられている。このようなＥＣＲやＰＯＳ端末は、一般的に、ドロワや自動釣銭機の上に設置されて使用され、機種にもよるが、機器自体がある程度大きく、占有スペースも広い。このため、狭い店舗などでは設置スペースをとることができなかったり、有効スペースを狭めてしまったりするという問題がある。また、店舗内の空間デザインが重視されるような店舗では、たとえ設置スペースはあっても、ＥＣＲやＰＯＳ端末等の商品販売データ処理装置が当該店舗の空間デザインに溶け込まないようなことも珍しくない。
【０００３】
これに対して、商品販売データ処理装置、とりわけＰＯＳ端末は、汎用的なオペレーティングシステム上で動作する商品販売データ処理用のソフトウェアがインストールされて構成されていることも多い。そこで、分散型ＰＯＳ端末と呼ばれる機器では、一般的なパーソナルコンピュータにバーコードスキャナやドロワ等のようなＰＯＳ周辺機器を接続してＰＯＳ端末を構築するようなことも従来から行われている（特許文献１参照）。このような分散型ＰＯＳ端末によれば、各部が個々に分散されているので、レイアウト上の自由度が高く、広い設置スペースを確保することができない店舗や空間デザインが重視される店舗等で広く受け入れられている。
【０００４】
【特許文献１】特開平０２−２１７９９９号公報
【発明の開示】
【発明が解決しようとする課題】
【０００５】
分散型のＰＯＳ端末であっても、パーソナルコンピュータ本体の設置スペースが必要であり、また、ディスプレイやキーボード等を接続する関係上、完全なレイアウト上の自由度を得るということは不可能である。
【０００６】
また、従来から広く普及しているクレジットカードや近年急速に普及し始めたデビットカード等での決済を可能とするために、ＰＯＳ周辺機器として、クレジットカードやデビットカード等での決済を可能にするカード処理端末が用意されることも多い。このようなカード処理端末は、顧客の面前でカードの読み取り操作をすることが望ましいこともあり、例えばチェックアウトカウンタ等のような顧客の近傍位置に配置される。このため、カード処理端末との接続が必要であるＰＯＳ端末も、必然的にカード処理端末の近傍に設置せざるを得ない。したがって、カード処理端末を用いる場合には、例えば分散型のＰＯＳ端末であっても、レイアウト上の制限がより厳しくなる。
【０００７】
さらに、ＥＣＲやＰＯＳ端末等の商品販売データ処理装置は、例えばチェックアウトカウンタ等のような決済コーナーに設置され、決済は決済コーナーで行われるのが一般的である。これに対して、通常の決済コーナーではない場所、例えば特設会場や屋外等で販売促進のための催し物を行うというような場合、催し物を行う場所で決済を行うことができれば便利である。従来のＥＣＲやＰＯＳ端末等の商品販売データ処理装置は、手軽に持ち運べるようには構成されていないため、決済コーナー以外の場所に持ち運んで使用するというようなことが殆ど不可能である。
【０００８】
本発明の目的は、カード決済も可能としながら、商品販売データ処理を実行するための機器の占有スペースを減少させることである。
【０００９】
本発明の目的は、商品販売データ処理を実行するための機器を手軽に各所に持ち運び、持ち運んだ場所で商品販売データ処理を実行できるようにすることである。
【課題を解決するための手段】
【００１０】
本発明のカード処理端末は、各部を収納保持するハウジングと、情報を入力する入力装置（例えば、キーボード、タッチパネル等）と、各種処理を実行するプロセッサ（例えば、ＣＰＵ）と、決済に必要なカード情報を記録するカードから前記カード情報を読み取る情報読取部と、前記情報読取部が読み取ったカード情報に基づいて前記プロセッサに決済処理を実行させる手段と、入力された商品コードに基づく商品販売データ処理の実行を支援するための商品販売データ処理用の周辺機器（例えば、ドロワ、データコードスキャナ、ディスプレイ等）を複数台同時に接続可能にする外部機器接続用のインターフェース（例えば、ＵＳＢ）と、商品販売データ処理用のコンピュータプログラムを記憶保存する記憶部（例えば、フラッシュＲＯＭ）と、を備え、前記コンピュータプログラムは、前記インターフェースを介して接続された前記周辺機器を必要に応じて利用して、商品コードの入力機能と、前記入力装置の操作に応じて一取引の終了宣言をする宣言機能と、入力された商品コードに基づく決済金額の算出機能と、一取引の終了宣言に応じて算出した決済金額を決済する決済機能と、を含む商品販売データ処理機能を前記プロセッサに実行させる。
【発明の効果】
【００１１】
本発明によれば、カード処理端末は小型であることから、決済方法としてカード決済を可能とする商品販売データ処理を実行するための機器の占有スペースを減少させることができ、また、カード処理端末は軽量であることから、手軽に各所に持ち運んで持ち運んだ場所で商品販売データ処理を実行することができる。
【発明を実施するための最良の形態】
【００１２】
本発明の一実施の形態を図面に基づいて説明する。本実施の形態のカード処理端末は、クレジットカード、デビットカードとして使用されるキャッシュカード等、現金の代わりとして機能するカードでの決済に際して使用され、カード決済を可能にする。そのために、本実施の形態のカード処理端末は、通信回線を介して決済機関としての金融機関の決済機関コンピュータに接続可能である。これが、本実施の形態のカード処理端末の基本機能である。このような基本機能の他、本実施の形態のカード処理端末は、商品販売データ処理をも実行する。
【００１３】
本実施の形態のカード処理端末で使用されるカードとしては、共に磁気カードであるクレジットカード及びデビットカードである。これらのカードは、決済に必要なカード情報を磁気ストライプに記録している。カード情報として、クレジットカードの場合には、そのカードの固有情報であるカード番号、キャッシュカードの場合には、そのカードの固有情報であるカード番号及び予め定められている暗証番号等がある。
【００１４】
図１は、カード処理端末１及びその一使用態様を示す外観斜視図である。図１に示すように、カード処理端末１には、そのハウジング２の操作者側から見て右側に位置させて、図示しないカードの磁気ストライプを挿入させて操作者側に引き抜くことができるようなスリット状の読取溝３を備えた情報読取部４が設けられている。この情報読取部４には、カードの磁気ストライプに記録されたデータの読み取りを行うための磁気カードリーダ５（図４参照）が内蔵されている。
【００１５】
ハウジング２の上面には、カード処理端末１の操作者側（カード引抜方向下流側）から奥側（カード引抜方向上流側）に向って、キーボード６、伝票発行口７、及びタッチパネル付きディスプレイ８が順に配列されている。キーボード６は、入力装置として機能し、「０」から「９」までの置数キー６ａ、ファンクションキー６ｂ等の各種のキーをブロック毎に配列した外観構造を有している。タッチパネル付きディスプレイ８は、ＬＣＤ（Liquid Crystal Display）からなるディスプレイ８ａの上面にタッチパネル８ｂが配置された薄型扁平形状のものであって、ディスプレイ８ａの部分に取引内容や操作案内等を表示し、タッチパネル８ｂによるデータ入力を可能とする。したがって、タッチパネル８ｂは、キーボード６と同様に、入力装置として機能する。このようなタッチパネル付きディスプレイ８は、ハウジング２に対して開閉自在である。ハウジング２は、タッチパネル付きディスプレイ８の開放位置に図示しない用紙収納部を備え、この用紙収納部にはロール状に巻回された伝票用紙が収納されている。伝票発行口７は、ハウジング２に内蔵されたプリンタ９（図４参照）によって伝票用紙に印字され、カットされて発行された伝票（図示せず）を発行する発行口となる。
【００１６】
ハウジング２の側部には、カード処理端末１の電源のオンオフを行うための電源スイッチ１０が設けられている。電源スイッチ１０がオンされると、カード処理端末１の各部に電力が供給される。
【００１７】
カード処理端末１は、図１にその一使用態様を示すように、例えば、ドロワ１０１に接続されて使用される。
【００１８】
図２は、カード処理端末１及びその別の使用態様を示す外観斜視図である。カード処理端末１は、図２に別の使用態様を示すように、例えば、商品コードを光学的に読み取るデータコードスキャナとしてのバーコードスキャナ２０１に接続されて使用される。
【００１９】
図３は、カード処理端末１及びその更に別の使用態様を示す外観斜視図である。カード処理端末１は、図３に更に別の使用態様を示すように、例えば、ドロワ１０１、バーコードスキャナ２０１、及び商品販売データ処理に際して顧客に提供する情報を表示出力するディスプレイ３０１に、ＵＳＢハブ４０１を介して接続されて使用される。
【００２０】
図４は、カード処理端末１及びこれにＵＳＢ接続される周辺機器が備える各部の電気的接続を示すブロック図である。カード処理端末１は、制御ボード１１にマイクロコンピュータ（以下、マイコンという）１２を搭載する。マイコン１２は、前述した磁気カードリーダ５、キーボード６、タッチパネル付きディスプレイ８、及びプリンタ９等の各部をバスライン１３と各種制御回路（図示せず）とを介して駆動制御する。このようなマイコン１２は、プロセッサであるＣＰＵ（Central Processing Unit）１４に、バスライン１３を介して、コンピュータプログラム（起動プログラムや制御プログラム）等の固定的データを格納するＲＯＭ（Read Only Memory）１５と、各種可変データを書き換え自在に格納してワークエリアを提供するＲＡＭ（Random Access Memory）１６と、記憶部としてのフラッシュＲＯＭ１７とを接続することにより構成されている。
【００２１】
ＲＯＭ１５に格納されているコンピュータプログラムは、カード処理端末１に、磁気カードリーダ５によって読み取ったカード情報に基づく決済処理をプロセッサであるＣＰＵ１４に実行させる。つまり、当該コンピュータプログラムは、カード処理端末１に本来的な処理を実行させるわけである。このようなコンピュータプログラムを記憶する媒体として、本実施の形態ではＲＯＭ１５が選択されており、当該コンピュータプログラムはいわゆるファームウェア構成とされているが、これに限定するわけではない。
【００２２】
ここで、決済処理、一例として、クレジット決済の場合の決済処理について説明する。カードの磁気ストライプから読み取ったカード情報（カード番号）と入力された取引金額データとに基づいてクレジットデータ（問合せデータ）を作成し、作成したクレジットデータを決済機関コンピュータ５０１へ送信する。決済機関コンピュータ５０１では、送信されたクレジットデータに対して信用チェックや金額承認等の信用照会処理を行った後に、その照会結果データをカード処理端末１に送信する。照会結果が決済を承認する旨である場合には、カード処理端末１は、この照会結果データに従って、プリンタ９に印字データを送信し、プリンタ９からクレジット用の伝票を発行させる。店員は、発行されたクレジット伝票に顧客のサインを記入させる。
【００２３】
これに対して、フラッシュＲＯＭ１７には、商品販売データ処理用のコンピュータプログラムが記憶保存されている。このコンピュータプログラムにより実行される商品販売データ処理については、後述する。
【００２４】
マイコン１２には、バスライン１３を介して、メモリーカードスロット１８、通信Ｉ／Ｆ１９、ネットワークカード２０、Ｉ／Ｏ２１、及びＵＳＢ（Universal Serial Bus）２２が接続されている。
【００２５】
メモリーカードスロット１８は、メモリーカード１８ａ（図６参照）を抜き差し自在とし、メモリーカード１８ａに記録されているデータを入力する。
【００２６】
通信Ｉ／Ｆ１９は、通信回線である公衆回線網、ＣＡＦＩＳ（Credit And Finance Information Switching System）等の中継センター等から構成される外部通信網１００１を介して、クレジット会社や銀行等が備える決済機関コンピュータ５０１（図５、図６参照）にカード処理端末１を接続し、決済機関コンピュータ５０１との間でデータ通信を可能とする。
【００２７】
ネットワークカード２０は、カード処理端末１をＬＡＮ等のネットワーク２００１に接続させる。ネットワーク２００１には、例えばストアコントローラや各種サーバ等の上位機６０１が接続されており、カード処理端末１は上位機６０１とネットワーク２００１を介して通信可能である。
【００２８】
Ｉ／Ｏ２１にはピンパット２３が接続されている。ピンパット２３は、磁気カードリーダ５によってデビットカードを読み取り、デビット決済を実行するに際して、デビットカードの所持者である顧客に暗証番号を入力してもらうに際して使用される。
【００２９】
ＵＳＢ２２は、カード処理端末１に各種の周辺機器との接続を提供する。図１ないし図３に例示したドロワ１０１、バーコードスキャナ２０１、及びディスプレイ３０１との接続は、全てＵＳＢ２２を利用して実現している。ＵＳＢ２２を利用して接続されるドロワ１０１、バーコードスキャナ２０１、及びディスプレイ３０１について説明する。
【００３０】
ドロワ１０１は、引出１０２を開閉自在に有する。引出１０２は、図示しない圧縮コイルバネによって引き出し方向に付勢されており、その付勢による引き出し方向への移動を図示しないラッチ機構によってラッチしている。ラッチ機構は、ソレノイド１０３（図４参照）を有し、ソレノイド１０３の動作に応じて引出１０２のラッチを開放する。このようなドロワ１０１は、インターフェースとしてＵＳＢ１０４を備え、ソレノイド１０３を制御する制御部１０５を備える。そして、ＵＳＢ１０４を介してカード処理端末１から開放信号を受信し、これに応じて制御部１０５がソレノイド１０３を駆動し、引出１０２のラッチを開放する。
【００３１】
バーコードスキャナ２０１は、発光部２０２（図４参照）の発光により図示しないバーコードに照射された光の反射光をＣＣＤ２０３（図４参照）により受光し、ＣＣＤ２０３の出力に基づいてバーコード含まれている商品コードをデコーダ２０４（図４参照）によって解析する構造である。このような各部の制御は、制御部２０５が司る。また、バーコードスキャナ２０１も、インターフェースとしてＵＳＢ２０６を備え、デコーダ２０４によって解析した商品コードをＵＳＢ２０６によってカード処理端末１に向けて送信出力する。
【００３２】
ディスプレイ３０１は、ＬＣＤ（Liquid Crystal Display）、つまり液晶表示パネル３０２を備え、液晶表示パネル３０２に必要な情報、ここでは商品販売データ処理に際して顧客に提供する情報を表示する。液晶表示パネル３０２は、制御部３０３に制御されるドライバ回路３０４によって駆動され、必要情報の表示を実行する。このようなディスプレイ３０１も、インターフェースとしてＵＳＢ３０５を備え、カード処理端末１から表示データを受信する。制御部３０３は、カード処理端末１から送信された表示データに基づいてドライバ回路３０４を制御する。
【００３３】
前述したように、フラッシュＲＯＭ１７には、商品販売データ処理用のコンピュータプログラムが記憶保存、つまりインストールされている。このコンピュータプログラムは、ダウンロード（図５参照）やメモリーカード１８ａの読み取り（図６参照）等によってフラッシュＲＯＭ１７に記憶保存することができる。
【００３４】
図５は、商品販売データ処理用のコンピュータプログラムをダウンロードしてフラッシュＲＯＭ１７にインストールする場合のデータ処理を例示する模式図である。サーバ等の上位機６０１は、カード処理端末１に商品販売データ処理を実行させるためのコンピュータプログラムを保持している。当該コンピュータプログラムは、ネットワーク２００１を介してカード処理端末１にダウンロード可能である。ダウンロードされたコンピュータプログラムは、ネットワークカード２０により、バスライン１３を介してフラッシュＲＯＭ１７にインストールすることが可能である。
【００３５】
図６は、商品販売データ処理用のコンピュータプログラムをメモリーカード１８ａの読み取りによってフラッシュＲＯＭ１７にインストールする場合のデータ処理を例示する模式図である。メモリーカード１８ａは、カード処理端末１に商品販売データ処理を実行させるためのコンピュータプログラムを記憶している。そこで、メモリーカード１８ａをメモリーカードスロット１８に挿入することで、ＣＰＵ１４は、メモリーカード１８ａが記憶する商品販売データ処理用のコンピュータプログラムを取り込み、バスライン１３を介してフラッシュＲＯＭ１７にインストールすることが可能である。
【００３６】
フラッシュＲＯＭ１７にインストールされた商品販売データ処理用のコンピュータプログラムに従いＣＰＵ１４が実行する処理を次に説明する。商品販売データ処理用のコンピュータプログラムは、ＣＰＵ１４に、商品販売データ処理機能を実行させる。つまり、当該コンピュータプログラムは、ＵＳＢ２２を介して接続された周辺機器、例えば、ドロワ１０１、バーコードスキャナ２０１、ディスプレイ３０１等を必要に応じて利用して、商品コードの入力機能と、入力装置（キーボード６又はタッチパネル８ｂ）の操作に応じて一取引の終了宣言をする宣言機能と、入力された商品コードに基づく決済金額の算出機能と、一取引の終了宣言に応じて算出した決済金額を決済する決済機能と、をＣＰＵ１４に実行させる。
【００３７】
商品コードの入力機能は、一例として、キーボード６の置数キー６ａの押下入力、あるいはタッチパネル８ｂのタッチ入力に基づいて行われる。この場合、置数キー６ａは商品コードそのものを入力する。タッチパネル８ｂによる商品コードの入力は、各種の手法により実行し得る。例えば、タッチパネル付きディスプレイ８のディスプレイ８ａにテンキーを表示して商品コードそのものをタッチパネル８ｂでタッチ入力する方式であっても、あるいは、ディスプレイ８ａに商品名や部門名を表示してそれらの商品名や部門名をタッチパネル８ｂでタッチ入力する方式であってよい。いずれにしても、商品販売データ処理用のコンピュータプログラムは、ディスプレイ８ａの表示とタッチパネル８ｂのタッチ入力とを同期させる。商品コードの入力機能は、別の一例として、バーコードスキャナ２０１によって実行される。この場合、図２又は図３に例示するように、バーコードスキャナ２０１がカード処理端末１にＵＳＢ接続されていることが前提となる。
【００３８】
一取引の終了宣言をする宣言機能は、一例として、キーボード６のファンクションキー６ｂの押下入力、あるいはタッチパネル８ｂのタッチ入力に基づいて行われる。一取引の終了宣言は、一取引を終了すべきことと、決済方法との指定を伴う。そこで、ファンクションキー６ｂの押下入力による一取引の終了宣言を実行する場合、商品販売データ処理用のコンピュータプログラムは、ファンクションキー６ｂの一つを締めキーとして割り当てる。現金で決済する場合と、クレジットカードで決済する場合と、デビットカードで決済する場合とで、それぞれ別のファンクションキー６ｂが割り当てられる。また、タッチパネル８ｂのタッチ入力による一取引の終了宣言を実行する場合、商品販売データ処理用のコンピュータプログラムは、ディスプレイ８ａに締めキー表示を行い、このようなディスプレイ８ａの表示とタッチパネル８ｂのタッチ入力とを同期させる。この場合にも、現金で決済する場合と、クレジットカードで決済する場合と、デビットカードで決済する場合とで、それぞれ別の締めキー表示がなされ、各締めキーは、タッチパネル８ｂのタッチ入力によって選択可能となる。
【００３９】
入力された商品コードに基づく決済金額の算出機能として、入力された商品コードに基づいてＰＬＵファイル（図示せず）を検索し、当該商品コードによって特定される商品の単価を得るという処理が実行される。ＰＬＵファイルは、商品販売データ処理用のコンピュータプログラムと共にフラッシュＲＯＭ１７に記憶保存しておいてもよいし、ネットワーク２００１を介してアクセス可能な図示しない外部記憶装置に記憶保存しておいてもよいし、ネットワーク２００１を介してアクセス可能な上位機６０１あるいは上位機６０１がアクセス可能な外部記憶装置に記憶保存しておいてもよい。カード処理端末１のＣＰＵ１４は、商品販売データ処理用のコンピュータプログラムに従い、ＰＬＵファイルにアクセスして入力された商品コードに対応する商品の単価を獲得し、一取引での購入金額を必要な消費税等と共に算出する。そして、一取引の終了宣言に先立って、現金による一取引の終了宣言がなされた場合には、預かり金額の入力処理及び釣銭金額の算出処理も併せて実行される。預かり金額の入力処理は、キーボード６の置数キー６ａの押下入力、あるいはタッチパネル８ｂのタッチ入力に基づいて行われる。この場合、置数キー６ａは預かり金額そのものを入力する。タッチパネル８ｂによる商品コードの入力は、タッチパネル付きディスプレイ８のディスプレイ８ａにテンキーを表示して預かり金額そのものをタッチパネル８ｂでタッチ入力する方式によって実行される。
【００４０】
一取引の終了宣言に応じて算出した決済金額を決済する決済機能は、現金で決済する場合と、クレジットカードで決済する場合と、デビットカードで決済する場合とで、それぞれ異なる処理を実行する。これに対して、決済方法の相違にも拘らず共通する処理として、商品販売データ処理用のコンピュータプログラムは、例えばＲＡＭ１６に、売上データを仮保存する処理をＣＰＵ１４に実行させる。仮保存した売上データは、一日の終了等のようなタイミングで、売上ファイルを有する上位機６０１に送信される。
【００４１】
一取引の終了宣言に際して、クレジット決済又はデビットカード決済が選択された場合、商品販売データ処理用のコンピュータプログラムは、ＣＰＵ１４に、ＲＯＭ１５に格納されている決済処理用のコンピュータプログラムに従った処理を実行させる。図２に示すように、ドロワ１０１がカード処理端末１にＵＳＢ接続されていない場合には、専ら、クレジット決済又はデビットカード決済によることが望ましい。そこで、商品販売データ処理用のコンピュータプログラムは、ＣＰＵ１４に、ドロワ１０１がカード処理端末１にＵＳＢ接続されているかどうかを判定させ、ＵＳＢ接続されていない場合には、一取引の終了宣言をする宣言機能として、クレジット決済又はデビットカード決済のみの選択が可能であり、現金決済を選択し得ないように制御させるようにしてもよい。
【００４２】
一取引の終了宣言に際して、現金決済が選択された場合、商品販売データ処理用のコンピュータプログラムは、ＣＰＵ１４に、ドロワ１０１に向けて開放信号を出力する機能を実行させる。これにより、開放信号を受信したドロワ１０１では、制御部１０５がソレノイド１０３を駆動し、引出１０２のラッチを開放させる。これにより、引出１０２が引き出される。なお、この処理は、図１及び図３に示すように、ドロワ１０１がカード処理端末１にＵＳＢ接続されていることを前提とする。
【００４３】
加えて、本実施の形態のカード処理端末１は、図３に示すように、ディスプレイ３０１をＵＳＢ接続することができる。そこで、このディスプレイ３０１に、商品販売データ処理に際して顧客に提供する情報、例えば、商品コードが入力された商品の品名や単価、購入金額、消費税等の情報を表示することが可能である。
【００４４】
以上説明したように、本実施の形態によれば、カード処理端末１にＰＯＳ端末機能を持たせることができる。したがって、小型で軽量であるというカード処理端末１の持ち味を活かし、商品販売データ処理を実行するための機器の占有スペースを減少させることができる。このため、狭小店舗等での利用価値が極めて高い。あるいは、店舗内の空間デザインが重視されるような店舗でも、ＰＯＳ端末を設置した場合に比べて圧迫感を低減することができ、抵抗感なく受け入れられ易くなる。
【００４５】
カード処理端末１のもう一つの持ち味である軽量さは、商品販売データ処理の実行場所の制限を緩和する。つまり、カード処理端末１は、軽量であるが故に手軽に各所に持ち運び、持ち運んだ場所で商品販売データ処理を実行することができる。一例として、特設会場や屋外等で販売促進のための催し物を行うような場合を想定すると、小型で軽量であるカード処理端末１は、そのような催し物会場に気軽に持ち運ぶことができ、その場で商品販売データ処理を実行することができる。したがって、商品販売データ処理を実行する機器として、極めて機動性が高い機器を得ることができる。
【００４６】
しかも、カード処理端末１は、耐タンパ性を有している等、高いセキュリティ機能を標準で装備していることから、商品販売データ処理に際しても、高いセキュリティを維持することができる。
【００４７】
また、本実施の形態のカード処理端末１は、入力装置としてタッチパネル８ｂを用いることで、入力装置としてのキーボード６が置数キー６ａを主体として構成されているが故に入力項目の選択数が限られているカード処理端末１であっても、商品コード入力や各種のファンクション入力に際して、入力項目を豊富にすることができる。
【００４８】
加えて、本実施の形態のカード処理端末１は、商品販売データ処理用の周辺機器を複数台同時に接続可能にする外部機器接続用のインターフェース、本実施の形態ではＵＳＢを備えているので、ドロワ１０１、バーコードスキャナ２０１、ディスプレイ３０１等を接続し、商品販売データ処理機能の実行に際して、それらの周辺機器を必要に応じて利用することができる。つまり、拡張性及び柔軟性が極めて高く、個々の店舗に即したシステム構成を容易に実現することが可能となる。
【図面の簡単な説明】
【００４９】
【図１】カード処理端末及びその一使用態様を示す外観斜視図である。
【図２】カード処理端末及びその別の使用態様を示す外観斜視図である。
【図３】カード処理端末及びその更に別の使用態様を示す外観斜視図である。
【図４】カード処理端末及びこれにＵＳＢ接続される周辺機器が備える各部の電気的接続を示すブロック図である。
【図５】商品販売データ処理用のコンピュータプログラムをダウンロードして記憶部（フラッシュＲＯＭ）にインストールするデータ処理を例示する模式図である。
【図６】商品販売データ処理用のコンピュータプログラムをメモリーカードの読み取りによって記憶部（フラッシュＲＯＭ）にインストールするデータ処理を例示する模式図である。
【符号の説明】
【００５０】
２…ハウジング，４…情報読取部，６…入力装置（キーボード），８…タッチパネル付きディスプレイ，８ｂ…入力装置（タッチパネル），１４…プロセッサ（ＣＰＵ），１７…記憶部（フラッシュＲＯＭ），２２…インターフェース、ＵＳＢ，１０１…周辺機器、ドロワ，２０１…周辺機器、データコードスキャナ（バーコードスキャナ），３０１…周辺機器、ディスプレイ
【図１】
2006285805.tif 000003
【図２】
2006285805.tif 000004
【図３】
2006285805.tif 000005
【図４】
2006285805.tif 000006
【図５】
2006285805.tif 000007
【図６】
2006285805.tif 000008